(57)【要約】【課題】  前の使用者の手が触れることなくロールペーパーの先端摘まみ片が、適度の長さで常に待機し、ロールを載せ置き、ペーパーを切断するときに、あらかじめロールペーパーの回転を停止させて簡単にカットでき、カッターで手をケガする心配がなく、終始片手ワンタッチで操作できるペーパーホルダーを提供する。【解決手段】  ロールの幅に合わせたホルダー内に、芯紙管の径より少し狭い間隔で、滑り止め面を施した２つのローラーを設置し、ホルダー正面最手前に、下端にカッター歯を持ち、上端を蝶番留めして、前後に、数ミリ幅で自由に回動するカッター板を形成し、ロール交換もＷローラー上にロールペーパーを載せ替えるだけで、ペーパーカット時以外は、引き出し摘まみ片が自ずと一定の長さで垂下して待機し、ケガの心配無用を特徴とするワンタッチＷローラーペーパーホルダー。【選択図】図１
2015100695.tif 000002
【特許請求の範囲】
【請求項１】
芯紙管に巻き回されたトイレットロールペーパー（以下、ロールペーパーと呼ぶ）の幅より僅かに広い内部空間を有し、左右の側面及び背面をそれぞれ側面板及び背面板によって閉じ囲われ、天井面、底面、正面が開口されたトイレットペーパーホルダーにおいて、正面側の上下方向、約３分の２程の下部域にカッター板を設けるのであるが、カッター板は、下部先端に、「ロールペーパーを切り取るには充分な程度の切れ味を有するが手を触れても傷つく心配のない」カッター歯をほぼ垂直下方向きに設け、上端部の左右端辺を、ホルダーの左右の側面板に蝶番留め様に取り付けて、カッター歯の部位が垂直下方から手前方向へ、約５〜６ミリ程の範囲で自由に回動できる遊びが設けられ、ホルダーの側面板の下端近くに、左右にローラーシャフトを渡し掛けるように、２本のローラーを、芯紙管の径よりやや狭い間隔を置いて、前後平行に設置し、２本のローラーには共に、もしくは手前側のローラーには、全表面を周回して、サンドペーパー様の滑り止め面を設け、ホルダー上面には単にホコリ防止用の開閉蓋を設置するが、蓋の設置自体は、本発明を構成する必須要素ではないのであって、全体として、このように形成されたホルダー内の２本のローラーの上に、ロールペーパーを載せ置き、引き出し摘まみ片となる紙端を背面側から下方にローラーの間を通し垂らして、使用可能なセット完了となり、以降、ペーパーを切断するとき以外は、常時自ずとその状態が保持されるということを特徴とするワンタッチＷローラーペーパーホルダー。
【発明の詳細な説明】
【技術分野】
【０００１】  本発明は、トイレットペーパーを使用するときにおいて、ペーパーの摘まみ取出しから切断、あるいは入替え交換に至るまで、全てワンタッチで動作、操作ができるワンタッチＷローラーペーパーホルダーに関するものである。
【背景技術】
【０００２】  従来のペーパーホルダーは、ペーパーの先端部をつかみ、ペーパーを引き出すためには、カッター歯の付いた蓋を持ち上げたり、ペーパーロールを手で回したりする必要があった。
ペーパーの切断に際しては、一方で蓋をロールペーパーに押し付け、回転を止め固定した上で、他方の手でペーパーを切断したりしていた。
ロールペーパーを取り替え交換に際しては、ホルダー内の左右壁面の取り付け部に厄介な付け外しする作業が必要であった。
ロールペーパーの軸芯をホルダーの左右壁に付け外しする必要のない「置き型トイレットペーパーホルダー」の先行技術も知られている（特許文献１参照）。
ロールペーパーのホルダーへの収容、ペーパーの引き出し操作、それらのカッターとの関連における安全の問題に一定の解決法を示した「トイレットペーパーホルダー」の先行技術も知られている（特許文献２参照）。
【先行技術文献】
【特許文献】
【０００３】
【特許文献１】  特開２０１１−１４３２０７号公報
【特許文献２】  特開２０１１−３６６０４号公報
【発明の概要】
【発明が解決しようとする課題】
【０００４】  ロールペーパーを使用するとき、通常は、ペーパー片を引っ張り出すためにロールペーパーの先端を探すが、ロール面にピッタリへばりつくような状態になっているので、摘まみ取るために手間がかかることが多かった。
摘まんだ箇所が、前に使用した他人の手が触れたかも知れず、衛生的にも問題があった。
ロールペーパーを必要分の長さだけ引っ張り出してペーパーを切断しようとするとき、カッター歯を先端に持った蓋を押さえておかないと切り取れないので、両手を使わざるを得ず、手が不自由な人や高齢者にとっては負担であった。
特許文献１に示される先行技術は、専らロールペーパーを交換するときに、ホルダーの左右内壁面に軸芯、あるいは、ローラーシャフトを嵌め外しする面倒さから解放されるために、ホルダー内の４つのローラーの上に置くだけで、ペーパーを取り出していく際のロールペーパーの摩擦を、ローラーの回転でスムーズにすることを目途したものであって、他の諸問題、すなわち、引き出し摘まみ片の取り出しにくさの問題や、ペーパーを取りに行こうとする際のカッターに触れる危険性、また、カットする際の「押さえ」の必要から片手では不可能という問題等については、問題意識そのものがない。
特許文献２に示される先行技術は、ロールペーパーを２本のローラーの上に置いて操作使用する「置き型」という点において、本発明と共通しているが、ホルダー内でロールペーパーが軸ズレするために、わざわざ軸ズレ防止「安定棒」を必要としている。
また、ペーパーの引き出し、切断の一連の操作において、カッターで手を傷つけないために、ペーパー取り出し口、すなわち、二つのローラー間の直下にある切断歯を、切断後に垂下したペーパー先端より上にわざわざ移動させて待機させねばならない。
そのための構造的処置として、カッターの先端の歯の反対端に「バランス重り」を付け、歯と重りの中間を軸止めして軸回転で歯の位置を上下させるというものであり、きわめて複雑な構造を余儀なくされており、コストも嵩み、また、長期の使用に伴って故障の可能性もかなり予想される。
また、取り出されてくるペーパーを切断するために、蓋先端歯による切断のような「蓋で上からロールペーパーを押さえておく必要」はないとしても、手前側への一方向にのみ引っ張られるペーパーが切断されるのは、単にペーパーがカッター歯先に当たる一定の角度から生ずる摩擦、引っかかり度合いと歯の切れ具合に依存するものであって、あらかじめ、ロールペーパーの回転自体が強力なブレーキによる如く強制停止された上で、それを手前に引っ張る力でピーンと緊張させたペーパー面を、カッター歯に当てて、たやすく切断するというようなものではない。
さらに、取り出され、切断された後、ペーパーを一定の長さで、切断歯先より下方の位置で待機させるために、２つの「調整板」をも必要とし、構造を一層複雑化している。
本発明は、これらの諸問題を、とことんシンプルな構造的手当てによって解決しようとするものである。
【課題を解決するための手段】
【０００５】  芯紙管に巻き回されたトイレットロールペーパー（以下、ロールペーパーと呼ぶ）の幅より、僅かに広い内部空間を有し、左右の側面及び背面をそれぞれ側面板及び背面板によって閉じ囲われ、天井面、底面、正面が開口されたトイレットペーパーホルダー（以下、ホルダーと呼ぶ）において、正面側最手前の上下方向約３分の２程の下部域にカッター板を設けるのであるが、カッター板は、下部先端に、ロールペーパーを切り取るには充分な程度の切れ味を有するが、手を触れても傷つく心配のないカッター歯をほぼ垂直下方向きに設け、上端部の左右端辺を、ホルダーの左右の側面板に蝶番留め様に取り付けて、カッター歯の部位がほぼ垂直下方から手前方向へ、前後、約数ミリ程自由に回動できるように設置し、ホルダー内の側面板の下端近くに、左右にローラーシャフトを渡し掛けるように、２本のローラーを、芯紙管の径よりやや狭い間隔を置いて、前後平行に設置し、２本のローラーには共に、もしくは、手前側のローラーには、全表面を周回して、サンドペーパー様の滑り止め面を設ける。
ホルダー上面には単にホコリ防止用の開閉蓋を設置するが、蓋の設置自体は、本発明を構成する必須要素ではない。
全体として、このように形成されたホルダー内の２本のローラーの上に、ロールペーパーを載せ置き、引き出し摘まみ片となる紙端を先方背面側から下方に、ローラーの間を通し垂らせば、それで使用可能な状態となり、セット完了である。
以降、ペーパーをカットするとき以外には常時自ずとその状態が保持される。
以上を特徴とするワンタッチＷローラーペーパーホルダーである。
【発明の効果】
【０００６】（イ）ロールペーパーをホルダー内に置くだけなので、交換も極めて簡単で苦にならない。
また、ロールペーパーの幅に適合させたホルダーなので、ペーパーを引き出したときに回転するロールペーパーの横へのブレ防止用安定棒等の手段も無用である。
（ロ）ペーパーの引き出し摘まみ片が常時一定の長さで垂下し待機しているので、使用開始時にペーパー先端の摘まみ片を簡単に摘まむことができる。
（ハ）ペーパーを切断するときに、カッター歯の付いたホルダー蓋を押さえたりしなくても、２つのローラーの間から引き出されていくペーパーが、切断するときに相違いする方向に引き裂こうとする力を受けるので、また、歯先がそこに接触しているペーパー面に適切な角度で当たるので、ペーパーを引き出し、摘まみ片を引っ張る力が少々弱くても、きれいな切断線で簡単に切断することができる。
（ニ）切断と同時に、残されたロールペーパーの先端域は、自ずと元の位置に戻り、元と同じ長さで、次の使用における引き出し摘まみ片として待機する。
この過程で、引き出し摘まみ片に使用者の手が直接触れることはないので、次の使用者にとっては衛生的で安心でもある。
（ホ）垂下して待機している引き出し摘まみ片の長さは、ホルダーの手前からカッター歯の下を先方へ手を伸ばして摘まみに行く際に、手がカッター歯に当たらないで済むだけの充分な空間ができるような長さ（歯先に触れる水平線より、約１０センチ下方位置に引き出し摘まみ片の先端がくるよう）に設けてあるが、万が一手が歯に当たったとしても、歯は鋼や金属製ではなく、「ペーパーを切るには充分であっても、手は切れない」プラスチック製、または、紙製なので、歯による怪我の危険はほとんどない。
（ヘ）ロールペーパーが次第に消費されて、ロールの径が小さくなり、芯紙管の径に近づいていったとしても、２本のローラー間の間隔が予め芯紙管の径よりやや狭く形設してあるので、ローラーの間から落ちてしまうことはない。
また、そのようにロールペーパーの分量が少なくなり、重量的に軽くなったとしても、ペーパーを引き出す方向が下方であり、かつ、ローラー表面がサンドペーパー様の強い滑り止め面になっているので、ペーパーの取り出し中に空回りする心配も全くない。
（ト）本発明の使用中における全作業が、終始片手操作だけで充分に簡単に行なうことができる。
【図面の簡単な説明】
【０００７】
【図１】  本発明の側面から見た断面図。
【図２】  本発明の一部であるローラーの滑り止め面の特徴を分かりやすく表した斜視図。
【図３】  本発明の実施例を側面から見た断面図。
【発明を実施するための形態】
【０００８】  以下、本発明の実施の形態について説明する。
芯紙管（１）に巻き回されたロールペーパー（２）の幅より僅かに広い内部空間を有し、左右の側面及び背面をそれぞれ側面板（３）及び背面板（４）によって閉じ囲われ、天井面、底面、正面が開口されたホルダーにおいて、正面側の上下方向約３分の２程の下部域にカッター板（５）を設けるのであるが、カッター板（５）は、下部先端に、ロールペーパー（２）を切り取るには充分な程度の切れ味を有するが、手を触れても傷つく心配のないカッター歯（６）を、ほぼ垂直下方向きに設け、上端部の左右端辺を、ホルダーの左右の側面板（３）に蝶番（７）留め様に取り付けて、カッター歯（６）の部位がほぼ垂直下方から手前方向へ、前後約５〜６ミリ程の範囲で自由に回動できるように設置し、ホルダー内の側面板（３）の下端近くに、左右にローラーシャフト（８）を渡し掛けるように、２本のローラー、すなわち、手前側のローラー（９ａ）、及び奥側のローラー（９ｂ）を、芯紙管（１）の径よりやや狭い間隔を置いて、前後平行に設置し、２本のローラーには共に、もしくは、手前側のローラー（９ａ）には全表面を周回して、サンドペーパー様の滑り止め面（１０）を設ける。
本発明は、以上のような構成であり、これを実際に使用する際は、ホルダー内の２本のローラーの上に、ロールペーパー（２）を載せ置き、引き出し摘まみ片（１１）となる紙端を背面側から下方にローラーの間を通し垂らせば、それで使用可能なセット完了となる。
以下、図３を参照しつつ説明するが、使用するときは、ホルダーの底面より下方に垂れ下りているロールペーパー（２）の先端域、すなわち、引き出し摘まみ片（１１）を片手で摘まみ、下方に引き出し、必要な長さのペーパーを手繰り出す。
その間、２つのローラーの上にあって、下から引っ張られているロールペーパー（２）は、使用者から見て前回りに回転しつつ、ローラー（９ａ）、及びローラー（９ｂ）を共に後ろ回りに回転させており、引き出されつつあるペーパーは、ロールペーパー（２）と奥側のローラー（９ｂ）との接触面を介して下方（Ａ）へ手繰り出されている。
次に、引き出し摘まみ片（１１）が手前斜め下方（Ｂ）へ引き寄せられると、引き出されつつあるペーパーは、手前側のローラー（９ａ）の下部面・即ちロールペーパー（２）と接触する上部面とは反対側で接触するに至る。
この状態で、ペーパーはすでにホルダー手前端のカッター板より手前外にはみ出す程に引き出されている。
次いで、手前側のローラー（９ａ）と接触したペーパーを手前に引っ張ると、ローラー（９ｂ）はロールペーパー（２）の前回りの力で従前通り後ろ回りの力を受けるが、ローラー（９ａ）は下部面において突如前回りの力を受けつつ、上部面ではロールペーパー（２）の前回りの力による従前通りの後ろ回りの力も受けるという羽目に陥る。
ローラー表面の滑り止め面（１０）の滑り止め効果によって、ローラー（９ａ）を相反する二方向へ同時に回転させようとする力は、より完全に拮抗し、かくしてローラー（９ａ）、連動するロールペーパー（２）、ローラー（９ｂ）は相伴ってピクリとも動かず、完全なブレーキ状態となる。
そこで、そのまま引き出し摘まみ片（１１）を手前斜め上方（Ｃ）へ軽く引き上げると、引き裂く方向の力を受けてピーンと緊張したペーパー面は、カッター歯（６）に当たり、簡単に切れる。
このとき、接触したペーパー面によって手前斜め上方（Ｃ）へ引っ張られるカッター歯（６）は、手前方向へ約５〜６ミリ程の範囲で自由に回動する遊びがあるので、ペーパーが手前斜め上方（Ｃ）へ引っ張り上げる角度に応じて、最も切断しやすい角度でペーパー面に当たることになり、歯先が鋼や金属製の鋭利さがなくても、プラスチックや紙製であっても、きれいに切断される。
このようにして使用する必要分だけ切り取られて残ったロールペーパー（２）の先端域は、切断と同時にカッター歯（６）を離れ、自ずとローラー（９ｂ）の真下に垂れ下がり、次の使用時の引き出し摘まみ片（１１）として待機するが、この待機中の引き出し摘まみ片（１１）の長さは、ローラー下端のペーパー引き出し口（１２）からカッター歯（６）までの距離にほぼ等しく、自ずと常に一定である。
このように、本発明において、以下の如く、先行技術の主要な問題点がほぼ全て非常にシンプルな方法で解決されている。
（イ）ロールペーパー（２）の交換取り付けに際し、ホルダーの左右両壁に軸芯を留め外しするような厄介さがなくなり、単にホルダーの蓋を開けて、内部底の二本のローラーの上に残っている使い尽くしの芯紙管（１）を取り出し、替りに新しいロールペーパー（２）を載せ置くだけである。
（ロ）ペーパーの引き出し摘まみ片（１１）は、「調整板」や何らかのガイド装置等の補助は全く無用で、常時約１０センチ程の一定の長さで、ローラー（９ｂ）の直下に待機し、新たな使用−切断と同時に自ずと元の位置の状態に戻る。
それ故、前後の使用者は共に他人が触った部分を触ってしまう可能性がなく、とても衛生的で安心でもある。
（ハ）ペーパーの引き出し摘まみ片（１１）は、手前のカッター歯（６）の下から手を伸ばして摘まみに行き、手前に引き上げるように切断するまで、手が歯先に触れる心配がないだけの充分な空間が出来るような長さで垂下しているので、摘まみ−切断の動作の移行の度にわざわざ切断歯を可動式に上げ下ろしたりする複雑な構造を全く必要としない。
また、念のため、カッター歯（６）が、万が一手が当たっても、「ペーパー切断には充分だが手は切れない」プラスチックや紙製で十分であることが実験で確かめられているので、二重に安心である。
（ニ）ロールペーパー（２）は、あらかじめ、その幅に適合的にホルダーの幅が形成されているので、ロールペーパー（２）の左右への軸ズレ防止や安定棒などの特別の部材を設置したりする必要も全くない。
（ホ）ペーパー切断するときも、特別の「押さえ」用の部材など設ける必要もなく、ローラーの滑り止め面（１０）の効果に補完されつつ、ローラー（９ａ）自身が相違い逆向きに回そうとする二つの力を同時に受ける羽目となることによって、すなわち、切断されようとするペーパーに対し、もっぱら、手前側への一方向の力だけでなく、同時に正反対の方向への同一の強さの力が働き、相違いする方向に引き裂こうとする力の拮抗によって、「押さえ」等よりはるかに完璧にブレーキ作用が働くと共に、ペーパー面に当たっているカッター歯（６）の歯先は、すでに引き裂かれようとしているペーパー面の切断線をきれいにするために、最後のちょっとした一押しの役割を果たせばこと足りるので、本発明の使用中の全作業において、終始片手操作だけで全く充分である。
（ヘ）ロールペーパー（２）が次第に消費されて、ロールの径が小さくなり、芯紙管（１）の径に近づいていったとしても、２本のローラー間の間隔が、あらかじめ芯紙管（１）の径よりやや狭く形設してあるので、ローラーの間から落ちてしまうことはない。
また、そのようにロールペーパー（２）の分量が少なくなり、重量的に軽くなったとしても、ペーパーを引き出す方向が下方であり、かつ、ローラー表面がサンドペーパー様の強いすべり止め面になっているので、ペーパーの取り出し中に空回りする心配も全くない。
（ト）斯様に、本発明の使用において、始めから終わりまで、すなわち、ペーパーの摘まみ取り出しから、切断或いはロールペーパー（２）の交換まで、全て片手一つで簡単にできる。
【符号の説明】
【０００９】  １  芯紙管
２  ロールペーパー
３  側面板
４  背面板
５  カッター板
６  カッター歯
７  蝶番
８  ローラーシャフト
９ａ  ローラー
９ｂ  ローラー
１０  滑り止め面
１１  引き出し摘まみ片
１２  ペーパー引き出し口
１３  蓋
Ａ  下方
Ｂ  手前斜め下方
Ｃ  手前斜め上方
【図１】
2015100695.tif 000003
【図２】
2015100695.tif 000004
【図３】
2015100695.tif 000005